(57)【要約】  本発明は、家具本体（１１）に機能ユニット（１２）を固定するための装置（２０）に関する。機能ユニット（１２）は支持部材（キャリヤ３）上に予め設置され、二つの保持要素（１，２）が家具本体（１１）上に設置され、前記保持要素（１，２）は、好ましくは長尺な支持部材（キャリヤ３）をその両端で保持する。一つの保持要素（１）はヒンジ（６）として設計されており、支持部材（キャリヤ３）は、家具本体（１１）に設置された前記保持要素（１）に対し回動可能に連結されている。【選択図】図３ａ
2013518629.tif 000002
【特許請求の範囲】
【請求項１】
家具カーカス（１１）に機能ユニット（１２）を固定するための装置（２０）であって、前記機能ユニット（１２）がキャリヤ（３）上に予め設置され、二つの保持要素（１，２）が前記家具カーカス（１１）に設置されており、前記保持要素（１，２）が、前記キャリヤ（好ましくは長尺なキャリヤ）（３）をその両端で保持している装置（２０）において、
一つの保持要素（１）がヒンジ（６）の形態をなしており、
前記キャリヤ（３）が、前記家具カーカス（１１）に設置された前記保持要素（１）に対して回動可能に連結されている、
ことを特徴とする家具カーカスに機能ユニットを固定する装置。
【請求項２】
前記キャリヤ（３）が、工具なしで保持要素（１，２）に連結され得る、
ことを特徴とする請求項１に記載の装置。
【請求項３】
前記保持要素（１，２）は、前記キャリヤ（３）を受け止めるためのベース部（４）と、そのベース部内に又はそのベース部に対して前記キャリヤ（３）を確実に保持するためのロック部材（好ましくは回動可能なロック部材）（５）とを有している、
ことを特徴とする請求項１又は２に記載の装置。
【請求項４】
ロック装置（７）が、前記キャリヤ（３）のヒンジ（６）と反対側の自由端に配置されている、ことを特徴とする請求項１〜３のいずれか一項に記載の装置。
【請求項５】
当該装置（２０）が、前記保持要素（２）又は前記キャリヤ（３）上において弾力性に富んだ又はバネ力付与されたラッチ（８）を有している、ことを特徴とする請求項１〜４のいずれか一項に記載の装置。
【請求項６】
前記ラッチ（８）は、前記保持要素（２）又は前記キャリヤ（３）上に突部として形成されている、ことを特徴とする請求項５に記載の装置。
【請求項７】
前記保持要素（２）又は前記キャリヤ（３）上のラッチ（８）は、前記キャリヤ（３）又は前記保持要素（２）の溝（９）に係合する、ことを特徴とする請求項５又は６に記載の装置。
【請求項８】
前記保持要素（１，２）に前記キャリヤ（３）を取り外し可能に連結するための当該装置（２０）は、二つのロック装置（７）を有しており、それら二つのロック装置は、前記キャリヤ（３）及び／又は保持要素（１，２）に設けられている、
ことを特徴とする請求項１〜７のいずれか一項に記載の装置。
【請求項９】
前記保持要素（１，２）及び／又は前記キャリヤ（３）は、Ｕ字形の断面形状を有している、ことを特徴とする請求項１〜８のいずれか一項に記載の装置。
【請求項１０】
前記キャリヤ（３）は、水平に横たわる側面バーの形態をなしており、好ましくは金属又はプラスチックからなる、
ことを特徴とする請求項１〜９のいずれか一項に記載の装置。
【請求項１１】
前記保持要素（１，２）及び／又は前記ロック装置（７）は、金属又はプラスチックからなる、ことを特徴とする請求項１〜１０のいずれか一項に記載の装置。
【請求項１２】
前記機能ユニット（１２）は、引き出し用のモーター駆動エジェクターである、
ことを特徴とする請求項１〜１１のいずれか一項に記載の装置。
【請求項１３】
前記機能ユニット（１２）は、照明ユニットの形態をなしている、
ことを特徴とする請求項１〜１２のいずれか一項に記載の装置。
【請求項１４】
前記機能ユニット（１２）は、好ましくは工具を使用せずに、取り外し可能に前記キャリヤ（３）上に配置されている、
ことを特徴とする請求項１〜１３のいずれか一項に記載の装置。
【請求項１５】
前記機能ユニット（１２）は、前記キャリヤ（３）上の略中央に配置されている、
ことを特徴とする請求項１〜１４のいずれか一項に記載の装置。
【請求項１６】
請求項１〜１５のいずれか一項に記載された、家具カーカス（１１）に機能ユニット（１２）を固定するための装置（２０）を備えた家具製品（１０）。
【発明の詳細な説明】
【技術分野】
【０００１】
本発明は、家具本体に機能ユニットを固定するための装置に関する。ここで、機能ユニットはキャリヤに予め設置され、二つの保持要素が家具カーカス(furniture carcass)（訳注：カーカスとは家具の枠組みのこと）に設置されている。前記保持要素は、（好ましくは長尺な）キャリヤをその両端で保持するものである。
【０００２】
本発明は更に、そのような装置を具備した家具製品に関するものである。
【背景技術】
【０００３】
家具カーカスに機能ユニットを固定するための装置は既に知られている。例えば、オーストリア公報ＡＴ５０４９２１は、家具カーカスに、可動家具部分用のエジェクターを固定するため固定装置を示す。その固定装置は、二つの側面保持部を介して家具カーカスの側壁に固定され得る横断型のキャリヤ(transverse carrier)を備え、その横断型のキャリヤは、両保持部に取り外し可能に連結されている。
【先行技術文献】
【特許文献】
【０００４】
【特許文献１】オーストリア公報ＡＴ５０４９２１
【発明の概要】
【発明が解決しようとする課題】
【０００５】
本発明の目的は、従来の技術を超えて改良された、家具本体に機能ユニットを固定するための装置を提供することにある。
【課題を解決するための手段】
【０００６】
本発明に従う装置では、発明の目的は、請求項１の技術的特徴で達成される。
【０００７】
ヒンジの使用は、キャリヤが、取り除かれる必要なくその位置から離れる方向に移動することを可能にする。
【０００８】
二つの保持要素の使用は、キャリヤが家具カーカスの両側の端部で配置され得ることを提供する。
【０００９】
そのことは、取り付けを容易にするという利点を提供する。というのも、最初に保持要素が家具カーカスに設置され、その後にその保持要素に対してキャリヤが機能ユニットと共に設置されるだけで済むからである。
【００１０】
同様に、キャリヤが旋回可能であることは、当該キャリヤが単純なやり方で保持要素に対して旋回（回動）される及び／又は保持要素から外される限りにおいて、引き続く機能ユニットの交換（又は置き換え）をずっと容易にする、あるいは、キャリヤの背後の領域へのアクセスが欲せられる場合に、その目的のために取り除かれる必要なく保持要素に旋回（回動）可能に配置されているので、キャリヤを離れる方向へ動かすことができる。
【００１１】
本発明の更に有利な構成は、添付の特許請求の範囲において定義される。
【００１２】
キャリヤが工具なしで保持要素に連結され得るならば、特に有益であることが判明している。工具なしでキャリヤを保持要素に取り付けることは、迅速な組立を可能にする。
【００１３】
好ましい実施態様では、前記保持要素は、前記キャリヤを受け止めるためのベース部と、そのベース部内に又はそのベース部に対してキャリヤを位置的に確実に保持するためのロック部材（好ましくは回動可能なロック部材）とを有している。ロック部材の使用は、キャリヤが保持要素に対し拘束的に設置されるのを確実にすることができる。
【００１４】
特に好ましくは、ロック装置が、前記キャリヤのヒンジと反対側の自由端に配置されている。ロック装置の使用は、キャリヤが所定位置から離れないようにすることを可能にする。
【００１５】
その点に関して、本発明の固定装置が、保持要素又はキャリヤ上において弾力性に富んだ又はバネ力（が）付与されたラッチを有するならば、特に有益であることが判明している。ラッチの使用は、キャリヤに保持要素を連結する安価で実現可能な方策を達成することを可能ならしめる。
【００１６】
好ましい実施態様では、前記ラッチは、保持要素又はキャリヤ上に突部として一片で形成されている。ラッチが保持要素又はキャリヤ上に一体的性質を備えているため、追加の設置工数が必要とされない。
【００１７】
保持要素又はキャリヤ上のラッチが、前記キャリヤ又は保持要素の溝に係合する（ラッチする）ならば、有利であることが判明している。溝は、当該溝にラッチを収容してキャリヤ又は保持要素を位置的に確実な関係に配置するのに特によく適している。
【００１８】
前記保持要素にキャリヤを取り外し可能に連結するための当該装置が二つのロック装置を有しており、それら二つのロック装置がキャリヤ及び／又は保持要素に設けられるならば、有利であることが判明している。キャリヤの両端において二つのロック装置を使用することは、キャリヤが家具カーカス上の位置に確実に保持されることを可能ならしめる。
【００１９】
好ましくは、前記保持要素及び／又は前記キャリヤはＵ字形の（断面）形状を有している。Ｕ字形（断面）形状は、キャリヤまたは保持要素の安定性をそれぞれ増大させる。
【００２０】
可能性のある実施態様では、前記キャリヤは、水平に横たわる側面バーの形態をなしており、好ましくは金属又はプラスチックからできている。
【００２１】
好ましい実施形態では、保持要素及び／又はロック装置は、金属又はプラスチックから作られている。
【００２２】
前記機能ユニットが引き出し用のモーター駆動エジェクターである、及び／又は、前記機能ユニットが照明ユニットの形態をなしているならば、有利であることが判明している。
【００２３】
本発明の一実施態様では、前記機能ユニットは、好ましくは工具を使用せずに、取り外し可能に前記キャリヤ上に配置されている。そのことは、その場合にキャリヤから機能ユニットを取り除く必要なくして機能ユニットを交換する（又は置き換える）ことができるという利点をもたらす。
【００２４】
その点で、前記機能ユニットが前記キャリヤ（３）上の略中央に配置されるならば、特に有利であることが判明している。そのやり方では、例えば、駆動ユニットのエジェクターがキャリヤの略中央に配置されるならば、当該エジェクターによって、ほとんどひっかかることなく引き出しを引き出すことが可能になる。
【００２５】
保護はまた、請求項１〜１７のいずれか一項に記載されたような、家具カーカスに機能ユニットを固定するための装置を備えた「家具製品」に対しても求められている。
【００２６】
本発明の更なる詳細及び利点については、これ以後、図面に示された実施例を参照した具体的説明によって十分に説明される。
【図面の簡単な説明】
【００２７】
【図１】横断型のキャリヤを具備した家具物品の後面斜視図。
【図２ａ】家具カーカスに機能ユニットを固定する装置の、開き状態での斜視図。
【図２ｂ】家具カーカスに機能ユニットを固定する装置の、閉じ状態での斜視図。
【図３ａ】図２ａにおける状態での別の斜視図。
【図３ｂ】図２ｂにおける状態での別の斜視図。
【図４ａ】家具カーカスに機能ユニットを固定する装置の、開放状態での斜視図。
【図４ｂ】家具カーカスに機能ユニットを固定する装置の、連結されているがアンロック状態での斜視図。
【図４ｃ】家具カーカスに機能ユニットを固定する装置の、連結されており且つロック状態での斜視図。
【発明を実施するための形態】
【００２８】
図１は、家具製品１０の後面斜視図を示す。家具製品１０は、その中に配置された引き出し２２を備えた家具カーカス１１を有している。この場合、下側の引き出し２２は機能ユニット１２（同図では見えず）によって駆動可能である。その機能ユニット１２は、横断型のキャリヤ２１上に設置され、その横断型キャリヤ２１は家具カーカス１１に前記機能ユニットを固定するための装置２０を有している。その場合において、装置２０は、家具カーカス１１に設けられた保持要素１、及び、水平配置された側面バーの形態をしたキャリヤ３を備えている。
【００２９】
図２ａは、家具カーカス１１に機能ユニット１２を固定するための装置２０の斜視図を示し、ここで機能ユニット１２はキャリヤ３に予め設置されている。この場合において、キャリヤ３は、保持要素１に対して移動可能に設けられている。次いで、保持要素１，２は家具カーカス１１（同図では図示略）に固定される。ここでは開き位置が示されており、その開き位置では、旋回ヒンジ６によってキャリヤ３が保持要素２に近づくように旋回して移動（回動）可能となっている。
【００３０】
最初に設置する際、キャリヤ３は好ましくは保持要素１のヒンジ６内に導入され、好ましくはそこに留められ、こうしてそれに対し旋回（回動）可能に連結される。その結果として、再びそこから外されることも可能であることは理解されよう。
【００３１】
キャリヤ３も保持要素２も両方とも、Ｕ字形の形状（断面）を有している。
【００３２】
キャリヤ３は、保持要素１，２上で横たわる側面バーの形態で、家具カーカス１１に水平に配置されることができ、その点で金属またはプラスチックが、キャリヤ３及び保持要素１，２用の好ましい材料として使用される。
【００３３】
この実施形態では、機能ユニット１２は引き出し用のモーター駆動エジェクターの形態をとる。そのような引き出し駆動機構は、従来の技術（ＷＯ２００８／０９８２６７  Ａ１公報参照）により既に知られている。
【００３４】
この機能ユニット１２が照明ユニットの形態であってもよいことは、理解されるであろう。
【００３５】
図２ｂは、閉じ状態での横断型キャリヤ２１を示す。家具カーカス１１（同図では図示略）に機能ユニット１２を固定するための装置２０は、キャリヤ３がその自由端にて保持要素２のロック装置７にラッチ（掛け止め）された位置に配置されている。そのことは、保持要素１のヒンジ６によるキャリヤ３の旋回動作によって可能になる。機能ユニット１２（この実施形態では家具駆動機構の形態）は、その場合において、道具を用いることなくキャリヤ３に取り外し可能に配置されている。
【００３６】
引き出し２２（同図では図示せず）の好ましい引き出し動作(ejection)を許容するために、この場合、機能ユニット１２は、そのエジェクター２３がキャリヤ３のほぼ中央に配置されるように位置決めされている。
【００３７】
保持要素１でのキャリヤ３の当該旋回可能な配置は、横断型キャリヤ２１や機能ユニット１２やそのキャリヤ３を取り除く必要なしに組立工員がキャリヤ３の背後の空間に立ち入ることが容易に可能であること、を意味する。
【００３８】
図３ａは、図２ａ及び２ｂを参照して既に説明済みの横断型キャリヤ２１または装置２０の別の斜視図を示す。ここにおいて保持要素２に、弾力性に富んだラッチ８、及び、キャリヤ３の溝９を見ることが可能である。なお、ラッチ８に対応する溝もまた弾力性に富んだものである。
【００３９】
この場合、ラッチ８は保持要素２上の突部として一体形成されている。それがキャリヤ３上の突部として一体形成されてもよいことは理解されよう。
【００４０】
好ましくは、保持要素１，２の両方、ロック装置７およびラッチ８は、金属またはプラスチックからなるものである。
【００４１】
図３ｂに見られるような閉じ状態では、保持要素２のラッチ８がキャリヤ３の溝９にラッチする限りにおいて、ロック装置７は作動状態にある。溝９が保持要素２の側に設けられると共にラッチ８がキャリヤ３の側に設けられてもよいことは、理解されよう。キャリヤのＵ字形状（断面）および保持要素２のＵ字形状（断面）が、図３ａ及び図３ｂから大変はっきりと見て取れる。それは、それら二つの要素の安定性に貢献する。
【００４２】
図４ａ〜４ｃは、家具カーカス（同図では図示せず）に機能ユニット１２を固定するための装置２０の変更例を示す。
【００４３】
図４ａは、保持要素１から分離すると共に水平に配置された側面バーの形態をなしたキャリヤ３を示す。上記具体例で既に説明したように、機能ユニット１２はキャリヤ３上に配置されている。そのキャリヤ３は保持要素１に対し取り外し可能に固定され得る。
【００４４】
保持要素１は、キャリヤ３を受け止めるためのベース部４、及び、そのベース部４内もしくはベース部４上の位置にキャリヤ３を確実に保持するための旋回可能なロック部材５を有している。
【００４５】
保持要素１もキャリヤ３も両方とも、それらの構成部品（コンポーネント）の安定性を向上させるべくＵ字形状（断面）を有している。
【００４６】
図４ｂでは、キャリヤ３が二つの保持要素１，２にフィット（嵌合）されると共に、保持要素１，２のラッチ（用）突部８を介してキャリヤ３の溝９にラッチされている。
【００４７】
この実施形態では、ロック部材５が二つの保持要素１，２に閉じられていないので（その点については図４ｃ参照）、ロック装置７はまだ機能していない。
【００４８】
この実施形態では、キャリヤ３もまた、工具なしで保持要素１，２に連結されることができる。
【００４９】
好ましくは、保持要素１，２及びロック装置７だけでなくキャリヤ３用の材料として、金属またはプラスチックが使用される。
【００５０】
図４ｃは閉じ状態の装置２０を示す。ここでは、保持要素１，２のロック部材５がキャリヤ３の方向に旋回（回動）され。その結果、キャリヤ３が、保持要素１，２のベース部４内の位置に確実に保持されている。
【００５１】
キャリヤ３の（両）端部は装置２０の二つの保持要素１，２によって保持されている。
【００５２】
本発明が例示の実施形態により具体的な用語で説明されているとしても、本願の主題が当該実施形態に限定されないことは理解されるであろう。むしろ、発明概念を有効に実施すべく機能する手段や変更がある程度あり得るものであり望ましくもあることは、言うまでもないであろう。
【図１】
2013518629.tif 000003
【図２ａ】
2013518629.tif 000004
【図２ｂ】
2013518629.tif 000005
【図３ａ】
2013518629.tif 000006
【図３ｂ】
2013518629.tif 000007
【図４ａ】
2013518629.tif 000008
【図４ｂ】
2013518629.tif 000009
【図４ｃ】
2013518629.tif 000010
【手続補正書】
【提出日】平成24年10月4日(2012.10.4)
【手続補正１】
【補正対象書類名】明細書
【補正対象項目名】００２５
【補正方法】変更
【補正の内容】
【００２５】
保護はまた、実施態様に記載されたような、家具カーカスに機能ユニットを固定するための装置を備えた「家具製品」に対しても求められている。
【手続補正２】
【補正対象書類名】特許請求の範囲
【補正対象項目名】全文
【補正方法】変更
【補正の内容】
【特許請求の範囲】
【請求項１】
キャリヤ（３）及び二つの保持要素（１，２）を具備した家具カーカス（１１）に機能ユニット（１２）を固定するための装置（２０）であって、前記機能ユニット（１２）が前記キャリヤ（３）上に予め設置され、前記二つの保持要素（１，２）が前記家具カーカス（１１）に設置されており、前記保持要素（１，２）が、前記キャリヤ（好ましくは長尺なキャリヤ）（３）をその両端で保持している装置（２０）において、
一つの保持要素（１）がヒンジ（６）の形態をなしており、
前記キャリヤ（３）が、前記家具カーカス（１１）に設置された前記保持要素（１）に対して回動可能に連結されている、
ことを特徴とする家具カーカスに機能ユニットを固定する装置。
【請求項２】
前記キャリヤ（３）が、工具なしで保持要素（１，２）に連結され得る、
ことを特徴とする請求項１に記載の装置。
【請求項３】
前記保持要素（１，２）は、前記キャリヤ（３）を受け止めるためのベース部（４）と、そのベース部内に又はそのベース部に対して前記キャリヤ（３）を確実に保持するためのロック部材（好ましくは回動可能なロック部材）（５）とを有している、
ことを特徴とする請求項１又は２に記載の装置。
【請求項４】
ロック装置（７）が、前記キャリヤ（３）のヒンジ（６）と反対側の自由端に配置されている、ことを特徴とする請求項１〜３のいずれか一項に記載の装置。
【請求項５】
当該装置（２０）が、前記保持要素（２）又は前記キャリヤ（３）上において弾力性に富んだ又はバネ力付与されたラッチ（８）を有している、ことを特徴とする請求項１〜４のいずれか一項に記載の装置。
【請求項６】
前記ラッチ（８）は、前記保持要素（２）又は前記キャリヤ（３）上に突部として形成されている、ことを特徴とする請求項５に記載の装置。
【請求項７】
前記保持要素（２）又は前記キャリヤ（３）上のラッチ（８）は、前記キャリヤ（３）又は前記保持要素（２）の溝（９）に係合する、ことを特徴とする請求項５又は６に記載の装置。
【請求項８】
前記保持要素（１，２）に前記キャリヤ（３）を取り外し可能に連結するための当該装置（２０）は、二つのロック装置（７）を有しており、それら二つのロック装置は、前記キャリヤ（３）及び／又は保持要素（１，２）に設けられている、
ことを特徴とする請求項１〜７のいずれか一項に記載の装置。
【請求項９】
前記保持要素（１，２）及び／又は前記キャリヤ（３）は、Ｕ字形の断面形状を有している、ことを特徴とする請求項１〜８のいずれか一項に記載の装置。
【請求項１０】
前記キャリヤ（３）は、水平に横たわる側面バーの形態をなしており、好ましくは金属又はプラスチックからなる、
ことを特徴とする請求項１〜９のいずれか一項に記載の装置。
【請求項１１】
前記保持要素（１，２）及び／又は前記ロック装置（７）は、金属又はプラスチックからなる、ことを特徴とする請求項１〜１０のいずれか一項に記載の装置。
【請求項１２】
前記機能ユニット（１２）は、引き出し用のモーター駆動エジェクターである、
ことを特徴とする請求項１〜１１のいずれか一項に記載の装置。
【請求項１３】
前記機能ユニット（１２）は、照明ユニットの形態をなしている、
ことを特徴とする請求項１〜１２のいずれか一項に記載の装置。
【請求項１４】
前記機能ユニット（１２）は、好ましくは工具を使用せずに、取り外し可能に前記キャリヤ（３）上に配置されている、
ことを特徴とする請求項１〜１３のいずれか一項に記載の装置。
【請求項１５】
前記機能ユニット（１２）は、前記キャリヤ（３）上の略中央に配置されている、
ことを特徴とする請求項１〜１４のいずれか一項に記載の装置。
【請求項１６】
請求項１〜１５のいずれか一項に記載された、家具カーカス（１１）に機能ユニット（１２）を固定するための装置（２０）を備えた家具製品（１０）。
【国際調査報告】
2013518629.tif 000011
2013518629.tif 000012
2013518629.tif 000013
2013518629.tif 000014